(57)【特許請求の範囲】
【請求項１】
キャビネットの外側に遮光板を装着し、遮光板とキャビネットの間に換気装置を設置し、換気装置にキャビネットの換気口を覆うフィルタを設けた換気構造において、
前記換気装置がフィルタを収容するケーシングを備え、ケーシングに遮光板と対向する吸気口と、換気口に重なる通気口とを形成し、通気口がフィルタよりも小さな面積を備え、フィルタをキャビネットの内側から換気口と通気口を通してケーシングの内外に出し入れ自在としたことを特徴とする換気構造。
【請求項２】
前記ケーシングが、キャビネットと遮光板との間に介在するフィルタボックスと、フィルタボックスの内側にフィルタを保持するフィルタ押えと、フィルタ押えを遮光板側から覆うフィルタカバーとを含み、フィルタボックスに前記通気口を形成し、フィルタカバーに前記吸気口を形成した請求項１記載の換気構造。
【請求項３】
前記通気口をキャビネットの換気口とほぼ同じ大きさに形成し、通気口の四隅にフィルタの抜止め部を設けた請求項２記載の換気構造。
【請求項４】
前記通気口の一辺にフィルタをフィルタボックスの内側に誘導する案内片を突設した請求項３記載の換気構造。
【請求項５】
前記フィルタ押えにフィルタの周縁部を通気口周りのフィルタボックスに押し付ける四角枠と、四角枠の対角線方向に延びるＸ字枠とを形成した請求項４記載の換気構造。
【発明の詳細な説明】
【技術分野】
【０００１】
本発明は、電気機器を収納するキャビネット、特に、遮光板付きキャビネットの換気構造に関する。
【背景技術】
【０００２】
従来、内部温度の上昇を抑えるために、外面を遮光板で覆ったキャビネットが知られている。例えば、特許文献１には、キャビネットの外側に遮光板を装着し、遮光板とキャビネットの間に換気装置を設置し、換気装置にキャビネットの換気口を覆うフィルタと、遮光板と対向する吸気口とを設けた換気構造が提案されている。
【先行技術文献】
【特許文献】
【０００３】
【特許文献１】特開２００７−１７３３３３号公報
【発明の概要】
【発明が解決しようとする課題】
【０００４】
従来の換気構造によれば、換気装置の吸気口を遮光板で覆うことで、キャビネット内部への雨水の浸入を防止できるという利点がある。しかし、吸気口が遮光板で覆われているため、フィルタ交換に際して、遮光板を取り外さなければならないという面倒があった。
【０００５】
本発明の目的は、遮光板を取り外さなくても、換気装置のフィルタを容易に交換できる換気構造を提供することにある。
【課題を解決するための手段】
【０００６】
上記課題を解決するために、本発明は、キャビネットの外側に遮光板を装着し、遮光板とキャビネットの間に換気装置を設置し、換気装置にキャビネットの換気口を覆うフィルタを設けた換気構造において、次のような手段を提供する。
【０００７】
（１）換気装置がフィルタを収容するケーシングを備え、ケーシングに遮光板と対向する吸気口と、キャビネットの換気口に重なる通気口とを形成し、通気口がフィルタよりも小さな面積を備え、フィルタをキャビネットの内側から換気口と通気口を通してケーシングの内外に出し入れ自在としたことを特徴とする換気構造。
【０００８】
（２）換気装置のケーシングが、キャビネットの外面に接合するフィルタボックスと、フィルタボックスの内側にフィルタを保持するフィルタ押えと、フィルタ押えを遮光板側から覆うフィルタカバーとを含み、フィルタボックスに換気口に重なる通気口を形成し、フィルタカバーに遮光板と対向する吸気口を形成したことを特徴とする換気構造。
【０００９】
（３）通気口をキャビネットの換気口とほぼ同じ大きさに形成し、通気口の四隅にフィルタの抜止め部を設けたことを特徴とする換気構造。
【００１０】
（４）通気口の一辺にフィルタをフィルタボックスの内側に誘導する案内片を突設したことを特徴とする換気構造。
【００１１】
（５）フィルタ押えにフィルタの周縁部を通気口周りのフィルタボックスに押し付ける四角枠と、四角枠の対角線方向に延びるＸ字枠とを形成したことを特徴とする換気構造。
【発明の効果】
【００１２】
本発明の換気構造によれば、換気装置のケーシングにキャビネットの換気口と重なる通気口を形成し、換気口と通気口を通してフィルタをケーシングの内外に出し入れ自在としたので、遮光板を取り外さなくても、換気装置のフィルタ交換を容易に行うことができるという効果がある。
【図面の簡単な説明】
【００１３】
【図１】本発明の換気構造をキャビネットの内側から見た斜視図である。
【図２】図１の換気構造をキャビネットの外側から見た斜視図である。
【図３】図２の換気構造を分解して示す斜視図である。
【図４】フィルタを収めたケーシングをキャビネットの内側から見た立面図である。
【発明を実施するための形態】
【００１４】
以下、本発明の実施形態を図面に基づいて説明する。図１、図２に示す換気構造１は、電気機器を収納するキャビネットの扉パネル２と遮光板３との間に換気装置４を装備している。ただし、換気装置４は、キャビネットの扉パネル２に限定されず、キャビネット本体（筺体）とその外面を覆う遮光板との間に設置することもできる。
【００１５】
扉パネル２には、キャビネットの機器収納室に連通する換気口５が形成されている。換気装置４は、換気口５を覆うフィルタ６と、フィルタ６を収容するケーシング７とを備えている。そして、ケーシング７に遮光板３と対向する多数の小孔からなる吸気口８と、換気口５に重なる通気口９とが形成され、フィルタ６がキャビネットの内側から換気口５と通気口９を通してケーシング７の内外に出し入れ自在となっている。
【００１６】
図３に詳しく示すように、ケーシング７は、扉パネル２と遮光板３との間に介在するフィルタボックス１１と、フィルタボックス１１の内側にフィルタ６を保持するフィルタ押え１２と、フィルタ押え１２を遮光板３側から覆うフィルタカバー１３とを備え、それぞれを貫通する複数のネジ１４によって扉パネル２に組み付けられている。
【００１７】
フィルタボックス１１は、扉パネル２の外面に接合する接合部１１ａと、遮光板３に当接する上下一対の当接部１１ｂ，１１ｃとを備え、接合部１１ａに通気口９が換気口５と同じ大きさで形成されている。換気口５および通気口９の四隅にはフィルタ６の抜止め部５ａ，９ａが設けられ、通気口９の下辺にフィルタ６をフィルタボックス１１の内側に誘導する案内片１０が突設されている。
【００１８】
フィルタ押え１２には、フィルタ６の周縁部を通気口９周りのフィルタボックス１１に押し付ける四角枠１２ａと、四角枠１２ａの対角線方向に延びるＸ字枠１２ｂとが形成されている。フィルタカバー１３は多孔板で薄箱形に形成され、フィルタボックス１１の当接部１１ｂ，１１ｃによってカバー１３の吸気面１３ａと遮光板３との間に所定の通気用スペースが確保されている（図２参照）。
【００１９】
図４に示すように、フィルタボックス１１の通気口９はフィルタ６（ハッチングで示す）よりも小さな面積で形成されている。このため、フィルタ６は変形させた状態で換気口５と通気口９からフィルタボックス１１内に収容され、フィルタ６の周縁部がフィルタ押え１２の四角枠１２ａとボックス１１との間の差込部（図４にダブルハッチングで示した）に差し込まれる。
【００２０】
従って、この実施形態の換気構造１によれば、図１に示すように、フィルタ６をキャビネットの内側から換気口５と通気口９を通してケーシング７の内外に出し入れでき、遮光板３を取り外さなくても、フィルタ交換を容易に行うことができる。特に、フィルタ押え１２のＸ字枠１２ｂがフィルタ６をケーシング７の内側で滑らせ、案内片１０がフィルタ６の周縁部をケーシング７の差込部に誘導するので、フィルタ６の装着作業をスムーズに行うことができる。
【００２１】
なお、本発明は上記実施形態に限定されるものではなく、例えば、フィルタ６を円形に形成したり、換気装置４をキャビネット本体の側面、背面、上面に設置したりするなど、発明の趣旨を逸脱しない範囲で、各部の形状や構成を適宜に変更して実施することも可能である。
【符号の説明】
【００２２】
１    換気構造
２    扉パネル
３    遮光板
４    換気装置
５    換気口
６    フィルタ
７    ケーシング
８    吸気口
９    通気口
９ａ    抜止め部
１０    案内片
１１    フィルタボックス
１２    フィルタ押え
１３    フィルタカバー
【図１】
0005688845.tif 000002
【図２】
0005688845.tif 000003
【図３】
0005688845.tif 000004
【図４】
0005688845.tif 000005